(57)【要約】【課題】洗浄力が高くしかもすすぎ性が改善された液体洗浄剤組成物を提供する。【解決手段】（ａ）炭素数８〜１８の炭化水素基を有する脂肪酸又はその塩、（ｂ）炭素数５〜１８の炭化水素基を１つ有するアルキルグリセリルエーテル、（ｃ）（ａ）及び（ｂ）以外の界面活性剤、並びに水を含有し、〔（ａ）＋（ｂ）〕／（ｃ）質量比と（ａ）、（ｂ）、（ｃ）の合計含有量が、それぞれ特定範囲にある液体洗浄剤組成物。【選択図】なし【特許請求の範囲】
【請求項１】
（ａ）炭素数８〜１８の炭化水素基を有する脂肪酸又はその塩、（ｂ）炭素数５〜１８の炭化水素基を１つ有するアルキルグリセリルエーテル、（ｃ）（ａ）及び（ｂ）以外の界面活性剤、並びに水を含有する液体洗浄剤組成物であって、〔（ａ）＋（ｂ）〕／（ｃ）質量比が１〜１０であり、且つ（ａ）、（ｂ）、（ｃ）を合計で２０〜５０質量％含有する液体洗浄剤組成物。
【請求項２】
（ａ）／（ｂ）の質量比が０．３〜２０である請求項１記載の液体洗浄剤組成物。
【請求項３】
（ｃ）として、ポリオキシアルキレンアルキルエーテル硫酸エステル塩及びアミンオキシド型界面活性剤を含有する請求項１又は２記載の液体洗浄剤組成物。
【請求項４】
（ｃ）として、ベタイン型界面活性剤及びアルキルグリコシドから選ばれる界面活性剤を含有する請求項１〜３の何れか１項記載の液体洗浄剤組成物。
【発明の詳細な説明】
【技術分野】
【０００１】
本発明は液体洗浄剤組成物、特に台所周りの硬質表面、なかでも食器や調理器具等の洗浄に適した液体洗浄剤に関する。
【背景技術】
【０００２】
食器洗い用洗浄剤には、洗浄力の観点から界面活性剤として陰イオン性界面活性剤を主成分として用いているものが多い。陰イオン性界面活性剤の中でもアルキルベンゼンスルホン酸塩、アルキル又はアルキルエーテル硫酸塩、アルキル又はアルケニル硫酸塩、オレフィンスルホン酸塩、アルカンスルホン酸塩が特に主成分として用いられている。これら界面活性剤は、脂肪酸塩を含有することですすぎ性やぬるつきを改善できることが特許文献１〜３に記載されている。
【０００３】
また特許文献４及び５にはグリセリルエーテルを含有する食器洗い用洗浄剤が開示されており、これらは洗浄力が高く、すすぎ時のぬるつきを改善できることが示されている。
【特許文献１】特開２００４−２０３９８９号公報
【特許文献２】特開２０００−１７２９６号公報
【特許文献３】特開２０００−１７２９７号公報
【特許文献４】特開２００５−１７１１７５号公報
【特許文献５】特開２００４−２６２９５５号公報
【発明の開示】
【発明が解決しようとする課題】
【０００４】
しかしながら、脂肪酸又はその塩を中心とする洗浄剤はスルホン酸塩や硫酸エステル塩を有する界面活性剤に比較して乳化力が低く、台所周りの油汚れなどは非常に頑固な油に対して期待される洗浄力を得ることができないという課題がある。また、グリセリルエーテルを用いた系についても、更に洗浄力やすすぎ性を向上することが望まれる。
【０００５】
従って、本発明の課題は、洗浄力が高くしかもすすぎ性が改善された液体洗浄剤組成物を提供することである。
【課題を解決するための手段】
【０００６】
本発明は、（ａ）炭素数８〜１８の炭化水素基を有する脂肪酸又はその塩〔以下、（ａ）成分という〕、（ｂ）炭素数５〜１８の炭化水素基を１つ有するアルキルグリセリルエーテル〔以下、（ｂ）成分という〕、（ｃ）（ａ）及び（ｂ）以外の界面活性剤〔以下、（ｃ）成分という〕、並びに水を含有する液体洗浄剤組成物であって、〔（ａ）＋（ｂ）〕／（ｃ）質量比が１〜１０であり、且つ（ａ）、（ｂ）、（ｃ）を合計で２０〜５０質量％含有する液体洗浄剤組成物に関する。
【発明の効果】
【０００７】
本発明によれば、高い洗浄力と洗浄後のすすぎ時にすばやい泡切れ性が実感できる液体洗浄剤組成物が得られる。
【発明を実施するための最良の形態】
【０００８】
＜（ａ）成分＞
本発明の（ａ）成分は炭素数８〜１８の炭化水素基を有する脂肪酸又はその塩であり、好ましい具体例としては炭素数１０〜１６の炭化水素基を有する脂肪酸又はその塩を挙げることができる。炭化水素基はアルキル基、アルケニル基が好ましい。
【０００９】
塩の場合は、その対イオンは、アルカリ金属、アルカリ土類金属、アンモニウム、アルカノールアミンから選ばれる１種以上であり、好ましくはナトリウム、カリウム、マグネシウム、アンモニウムから選ばれる１種以上である。
【００１０】
＜（ｂ）成分＞
本発明の（ｂ）成分のモノアルキルグリセリルエーテルは、ポリグリセリルエーテルを含むが、好ましくはモノグリセリルエーテル又はジグリセリルエーテルであり、より好ましくは、下記一般式（１）の化合物で示されるモノグリセリルエーテルである。
Ｒ1−ＯＣＨ2ＣＨ(ＯＨ)ＣＨ2ＯＨ      （１）
〔式中Ｒ1は炭素数５〜１８、好ましくは５〜１２、より好ましくは８〜１０の炭化水素基、好ましくはアルキル基又はアルケニル基である。〕
【００１１】
一般式（１）の化合物はＲ1−ＯＨとエピハロヒドリンやグリシドール等のエポキシ化合物をＢＦ3等の酸触媒を用いて反応させて製造する方法が一般的である。また、このような製造方法では、グリセリル基が多数付加したアルキルポリグリセリルエーテル多量体が一般式（１）の化合物中に２０％以上存在する。本発明では上記多量体が多く混入した一般式（１）の化合物を使用しても差し支えないが、異性体及び多量体を２０質量％未満、好ましくは１５質量％以下に低減したものが好ましく、特に一般式（２）のアルミニウム触媒を用いて一般式（１）の化合物を製造することが好ましい。
Ａｌ(Ｒ2a−ＳＯ3)l(Ｒ2b)m(Ｒ2c)n              （２）
〔式中、Ｒ2aは置換基を有していてもよい炭化水素（ハロゲン化アルキル基を除く）を示し、Ｒ2bは置換基を有していてもよい炭化水素基、置換基を有していてもよい脂肪族炭化水素オキシ基又はハロゲン原子を示し、Ｒ2cは置換基を有していてもよい芳香族炭化水素オキシ基を示す。ｌ、ｍ、及びｎはそれぞれ０〜３の数であり、ｌ＋ｍ＋ｎ＝３である。但し、ｌは０ではない。〕
【００１２】
該触媒の製法としては例えばトリアルキルアルミニウム、トリアルコキシアルミニウム又はトリハロゲン化アルミニウムにスルホン酸類等を反応させて、該アルミニウム化合物のアルキル基、アルコキシル基又はハロゲン基を該スルホン酸塩類で1 部又は全部置換した後、残りのアルキル基、アルコキシル基又はハロゲン基を更に適当なアルコール類又はフェノール類で置換することにより製造することができる。該置換反応は、炭化水素やアルコール等の溶媒中で加熱混合することにより行われる。
【００１３】
本発明で上記アルミニウム触媒を使用する場合は、エピハロヒドリンやグリシドール等のエポキシ化合物をＲ1−ＯＨに対して０．５〜１．５モル倍量、好ましくは１．０〜１．２モル倍量使用し、一般式（２）のアルミニウム触媒をＲ1−ＯＨに対して０．００１〜０．１モル倍量、好ましくは０．０１〜０．０５モル倍量用い、反応温度を１０〜１２０℃、好ましくは７０〜１１０℃で１〜５時間反応することが良好である。
【００１４】
＜（ｃ）成分＞
本発明の（ｃ）成分は、（ａ）成分及び（ｂ）成分を除く界面活性剤であり、通常洗剤に用いることが知られている陰イオン性界面活性剤、両性界面活性剤、非イオン性界面活性剤、陽イオン性界面活性剤を挙げることができる。
【００１５】
陰イオン性界面活性剤の好ましい具体例としては炭素数１０〜１５のアルキル基を有するアルキルベンゼンスルホン酸又はその塩、炭素数１０〜１６のモノアルキル硫酸エステル塩、ポリオキシエチレンアルキルエーテル硫酸エステル塩（特に炭素数１０〜１６のアルキル基を有し炭素数２又は３のオキシアルキレン基が平均１．０から４．０モル付加したポリオキシアルキレンアルキルエーテル硫酸エステル塩）、炭素数８〜１６のα−オレフィンスルホン酸塩、α−スルホ脂肪酸（炭素数８〜１６）低級アルキル（炭素数１〜３）エステル塩を挙げることができる。対イオンは、アルカリ金属、アルカリ土類金属、アンモニウム、アルカノールアミンから選ばれる１種以上であり、好ましくはナトリウム、カリウム、マグネシウム、アンモニウムから選ばれる１種以上である。
【００１６】
本発明では、ポリオキシアルキレン（特にエチレン）アルキルエーテル硫酸エステル塩、特に炭素数１０〜１４のアルキル基を有し炭素数２又は３のオキシアルキレン基、好ましくはオキシエチレン基が平均１．０〜３．０モル、特に好ましくは１．５〜３．０モル付加したポリオキシアルキレンアルキルエーテル硫酸エステル塩、好ましくはナトリウム塩、カリウム塩、又はマグネシウム塩を用いることが洗浄効果の点から好ましい。
【００１７】
ポリオキシアルキレンアルキルエーテル硫酸エステル塩を用いる場合、直鎖１−アルケンをヒドロホルミル化して得られたアルコールを原料にして製造された分岐鎖１級アルキル基を有するポリオキシアルキレンアルキルエーテル硫酸エステル塩が好適である。ここで、ヒドロホルミル化とは鉄、コバルトあるいはニッケル等のカルボニル錯体を触媒として用い直鎖１−アルケンに一酸化炭素を付加させてアルコールを得る方法であり、直鎖アルキル基とメチル分岐アルキル基を含有するアルコールが得られる。ポリオキシアルキレンアルキルエーテル硫酸エステル塩はこのようなアルコールにさらにアルキレンオキシド、好ましくはプロピレンオキシド（以下、ＰＯと表記する）あるいはエチレンオキシド（以下、ＥＯと表記する）、より好ましくはＥＯを付加させ、さらに三酸化イオウあるいはクロルスルホン酸でスルホン化し、アルカリ剤で中和して得ることができる。平均付加モル数は、好ましくは１．０〜３．０、より好ましくは１．５〜３．０、特に好ましくは１．５〜２．５が洗浄効果の点から好ましい。中和に用いるアルカリ剤としては水酸化ナトリウム、水酸化カリウム、水酸化マグネシウム、炭酸ナトリウム、炭酸カリウム、炭酸マグネシウムが好ましく、さらに好ましくは水酸化ナトリウム、水酸化カリウム、水酸化マグネシウムである。このようにして得られたポリオキシアルキレンアルキルエーテル硫酸エステル塩は分岐鎖アルキル基を含むものであり、全ポリオキシアルキレンアルキルエーテル硫酸エステル塩に対するポリオキシアルキレン分岐鎖アルキルエーテル硫酸エステル塩の質量比は５〜８０質量％、更に１０〜７０質量％が優れた洗浄効果を達成するために好ましい。
【００１８】
ポリオキシアルキレンアルキルエーテル硫酸エステル塩自体は他の界面活性剤よりもぬるつき感の少ない性質を示すが、アミンオキシド型界面活性剤との併用によるぬるつき感の上昇とともに、高濃度化による増粘やゲル化によって被洗浄表面に残留しやすくなることからのぬるつき感が懸念される。この問題は、前記分岐鎖を有する化合物を選択することにより低減される。
【００１９】
両性界面活性剤としては、アミンオキシド型界面活性剤を挙げることができる。より好ましくは炭素数１０〜１８の炭化水素基を有するアミンオキシド型界面活性剤であり、具体的には下記一般式（３）の化合物が好ましい。
【００２０】
【化１】
2007153956.tif 000002
【００２１】
〔式中、Ｒ3aは炭素数８〜１８のアルキル基又はアルケニル基であり、Ｒ3bは炭素数１〜６のアルキレン基であり、Ａは−ＣＯＯ−、−ＣＯＮＨ−、−ＯＣＯ−、−ＮＨＣＯ−から選ばれる基である。ａは０又は１の数であり、Ｒ3c、Ｒ3dは、それぞれ炭素数１〜３のアルキル基又はヒドロキシアルキル基である。〕
【００２２】
一般式（３）において、Ｒ3aは、好ましくは炭素数１０〜１６、より好ましくは１０〜１４のアルキル基又はアルケニル基であり、特に好ましくはラウリル基（又はラウリン酸残基）及び／又はミリスチル基（又はミリスチン酸残基）である。Ａは、好ましくは−ＣＯＯ−又は−ＣＯＮＨ−であり、最も好ましくは−ＣＯＮＨ−である。Ｒ3bの炭素数は、好ましくは２又は３であり、Ｒ3c、Ｒ3dは、好ましくはメチル基である。
【００２３】
本発明ではＲ3aは単独のアルキル（又はアルケニル）鎖長でもよく、異なるアルキル（又はアルケニル）鎖長を有する混合アルキル基（又はアルケニル基）であってもよい。後者の場合には、ヤシ油、パーム核油から選ばれる植物油から誘導される混合アルキル（又はアルケニル）鎖長を有するものが好適である。具体的にはラウリル基（又はラウリン酸残基）／ミリスチル基（又はミリスチン酸残基）のモル比が９５／５〜２０／８０、好ましくは９０／１０〜３０／７０であることが洗浄効果、及び泡立ち性の点から好ましい。
【００２４】
その他の両性界面活性剤としてはベタイン型界面活性剤が好ましく、具体的には下記一般式（４）の化合物を挙げることができる。
【００２５】
【化２】
2007153956.tif 000003
【００２６】
〔式中、Ｒ4aは炭素数９〜２３のアルキル基又はアルケニル基であり、Ｒ4bは炭素数１〜６のアルキレン基である。Ｂは−ＣＯＯ−、−ＣＯＮＨ−、−ＯＣＯ−、−ＮＨＣＯ−、−Ｏ−から選ばれる基であり、ｂは０又は１の数である。Ｒ4c、Ｒ4dは、それぞれ炭素数１〜３のアルキル基又はヒドロキシアルキル基であり、Ｒ4eはヒドロキシ基で置換していてもよい炭素数１〜５のアルキレン基である。Ｄは−ＳＯ3-、−ＯＳＯ3-、−ＣＯＯ-から選ばれる基である。〕
【００２７】
一般式（４）において、Ｒ4aは、好ましくは炭素数９〜１５、特に９〜１３のアルキル基であり、Ｒ4bは、好ましくは炭素数２又は３のアルキレン基である。Ｂは−ＣＯＮＨ−が好ましく、ｂは０又は１が好適である。Ｒ4c、Ｒ4dはメチル基、又はヒドロキシエチル基が好ましい。Ｄは−ＳＯ3-、又は−ＣＯＯ-が好ましく、Ｄが−ＳＯ3-の場合にはＲ4eは−ＣＨ2ＣＨ（ＯＨ）ＣＨ2−が好ましく、Ｄが−ＣＯＯ-の場合にはＲ4eはメチレン基が好ましい。
【００２８】
非イオン性界面活性剤としては下記一般式（５）の化合物及びアルキルグリコシドである一般式（６）の化合物から選ばれる化合物が好適である。
【００２９】
Ｒ5a−Ｅ−［（Ｒ5bＯ）c−Ｈ］d          （５）
〔式中、Ｒ5aは、炭素数７〜１８のアルキル基又はアルケニル基であり、Ｒ5bは炭素数２又は３のアルキレン基である。ｃは２〜１００の数を示す。Ｅは−Ｏ−、−ＣＯＮ−又は−Ｎ−であり、Ｅが−Ｏ−の場合はｄは１であり、Ｅが−ＣＯＮ−又は−Ｎ−の場合はｄは２である。〕
Ｒ6a−（ＯＲ6b）eＧf          （６）
〔式中、Ｒ6aは直鎖の炭素数８〜１６、好ましくは１０〜１６、特に好ましくは１０〜１４のアルキル基、Ｒ6bは炭素数２〜４のアルキレン基、好ましくはエチレン基又はプロピレン基、特にエチレン基であり、Ｇは還元糖に由来する残基、ｅは平均値０〜６、好ましくは０〜３、特に好ましくは０の数であり、ｆは平均値１〜１０、好ましくは１〜５、特に好ましくは１〜２の数を示す。〕
【００３０】
一般式（５）の化合物の具体例として以下の化合物を挙げることができる。
Ｒ5a−Ｏ−（Ｃ2Ｈ4Ｏ）g−Ｈ    （５−ａ）
〔式中、Ｒ5aは前記の意味を示す。ｇは２〜１００の数である。〕
Ｒ5a−Ｏ−（Ｃ2Ｈ4Ｏ）h（Ｃ3Ｈ6Ｏ）i−Ｈ    （５−ｂ）
〔式中、Ｒ5aは前記の意味を示す。ｈ及びｉはそれぞれ独立に２〜７０の数であり、エチレンオキシド（Ｃ2Ｈ4Ｏ）とプロピレンオキシド（Ｃ3Ｈ6Ｏ）はランダムあるいはブロック付加体であってもよい。〕
【００３１】
【化３】
2007153956.tif 000004
【００３２】
一般式（６）においてＧは還元糖に由来する残基であり、原料の還元糖としては、アルドースとケトースの何れであっても良く、また、炭素数が３〜６個のトリオース、テトロース、ペントース、ヘキソースを挙げることができる。アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。本発明ではこれらの中でも特に炭素数５又は６のアルドペントースあるいはアルドヘキソースが好ましく、中でもグルコースが最も好ましい。
【００３３】
一般式（６）の化合物は上記還元糖とＲ6a−（ＯＲ6b）e−ＯＨとを酸触媒を用いてアセタール化反応又はケタール化反応することで容易に合成することができる。また、アセタール化反応の場合、ヘミアセタール構造であっても良く、通常のアセタール構造であっても良い。
【００３４】
陽イオン性界面活性剤としては、窒素原子に結合する基として炭素数が８〜１８のアルキル基を１つ又は２つ有し、その他は炭素数４以下のアルキル基またはヒドロキシアルキル基、又はベンジル基を有する４級アンモニウム塩型界面活性剤又はアミン化合物をあげることができる。対イオンは塩素イオン或いはジメチル硫酸イオンなどをあげることができる。塩化ベンザルコニウムなどの一部の陽イオン性界面活性剤は殺菌性を有するため、その目的のために配合することができるが、他のイオン性界面活性剤や塩類への影響を考慮して配合される。
【００３５】
本発明では、（ｃ）成分として、陰イオン性界面活性剤として、前記ポリオキシアルキレンアルキルエーテル硫酸塩（以下（ｃ１）成分とする）、両性界面活性剤として、前記一般式（３）で示されるアミンオキシド系界面活性剤（以下（ｃ２）成分とする）を必須成分とすることが好ましい。
【００３６】
その他、ベタイン型界面活性剤（以下（ｃ３）成分とする）、及びアルキルグリコシド（以下（ｃ４）成分とする）から選ばれる１種以上が泡立ちを改善し、しかも洗浄効果を強化できるために好ましい。
【００３７】
本発明の液体洗浄剤組成物は、貯蔵安定性を向上させる目的でハイドロトロープ剤〔以下、（ｄ）成分という〕を含有することが好ましい。ハイドロトロープ剤としてはトルエンスルホン酸、キシレンスルホン酸、クメンスルホン酸及びこれらのナトリウム、カリウムあるいはマグネシウム塩が良好であり、特にｐ−トルエンスルホン酸が良好である。
【００３８】
本発明では貯蔵安定性の改善を目的に、有機性溶剤〔以下、（ｅ）成分という〕を含有することができる。有機性溶剤の具体的例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテルから選ばれる水溶性有機溶媒が好ましい。
【００３９】
＜液体洗浄剤組成物＞
本発明の液体洗浄剤組成物は（ｃ）成分に対する（ａ）成分と（ｂ）成分の合計の割合〔（ａ）＋（ｂ）〕／（ｃ）が、質量比で１〜１０、好ましくは１〜８、より好ましくは１〜５である。
【００４０】
また、本発明の液体洗浄剤組成物は、（ａ）成分、（ｂ）成分、及び（ｃ）成分を合計で２０〜５０質量％、好ましくは２０〜４５質量％、より好ましくは２０〜４０質量％含有する。
【００４１】
また（ａ）成分／（ｂ）成分の質量比は、好ましくは０．３〜２０、より好ましくは１〜１５、最も好ましくは１〜１０である。（ａ）成分の脂肪酸又はその塩の洗浄力は（ｂ）成分との併用によって向上される。
【００４２】
（ｃ１）成分と（ｃ２）成分を含有する場合、（ｃ１）／（ｃ２）の質量比は、１〜２０、更に１〜１０、特に１〜５が洗浄力及び洗浄持続性の点から好適である。
【００４３】
本発明では非イオン性界面活性剤と（ｃ２）成分以外の両性界面活性剤を洗浄効果の増強、及び貯蔵安定性を改善する目的から含有することが好ましく、特に一般式（４）の化合物すなわち（ｃ３）成分、及び一般式（６）の化合物すなわち（ｃ４）成分は泡立ち性を改善することができる。しかしながら、多量配合はすすぎ時の泡強度を助長し、（ａ）成分の効果を減じる傾向にある。このために組成物中の非イオン性界面活性剤と（ｃ２）成分以外の両性界面活性剤の合計濃度は、０．１〜２０質量％、更に０．５〜１０質量％、特に１．０〜１０質量％が好適である。
【００４４】
本発明では、（ｄ）成分は貯蔵安定性の点から含有することが好ましい成分であり、組成物中の含有量は、０．１質量％以上１０質量％以下、更に１質量％以上１０質量％以下、特に２質量％以上６質量％以下が好適である。
【００４５】
本発明の（ｅ）成分は、貯蔵安定性の向上の点で好ましく、また粘度調節剤として有効であり、（ｅ）成分を組成物中に１質量％以上２０質量％以下、更に５質量％以上２０質量％以下、特に５質量％以上１５質量％以下が好適である。
【００４６】
本発明の組成物は、上記成分を水に溶解又は分散させた液状の形態が好ましく、水の含有量は貯蔵安定性の点から好ましくは２０〜６０質量％、更に好ましくは３０〜６０質量％、より好ましくは４０〜６０質量％、特に好ましくは４５〜５５質量％である。また、該組成物の２０℃におけるｐＨを５〜１２、好ましくは６〜１０、より好ましくは６．５〜９にすることが貯蔵安定性や皮膚への安全性の点から好ましい。ｐＨ調整剤としては塩酸や硫酸など無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましく、特に塩酸、硫酸、クエン酸、リンゴ酸から選ばれる酸と水酸化ナトリウム、水酸化カリウム、モノエタノールアミンから選ばれるアルカリ剤を用いることが好ましい。いずれの化合物も、粘度特性に対し大きな影響のない範囲で配合される。
【００４７】
本発明の組成物は使い勝手の点から２０℃における粘度が好ましくは１０〜１０００ｍＰａ・ｓ、より好ましくは２０〜７００ｍＰａ・ｓ、特に好ましくは３０〜５００ｍＰａ・ｓである。このような粘度には、例えば上記（ｄ）成分、（ｅ）成分などを用いて調整する。
【００４８】
本発明でいう粘度は以下のようにして測定する。まずＴＯＫＹＯ  ＫＥＩＫＩ製ＤＶＭ−Ｂ型デジタル粘度計、もしくはＴＯＫＩＭＥＣ．ＩＮＣ製Ｂ型粘度計モデルＢＭに、ローター番号Ｎｏ．３のローターを備え付けたものを準備する。試料をトールビーカーに充填し２０℃の恒温槽内にて２０℃に調整する。恒温に調整された試料を粘度計にセットする。ローターの回転数を３０ｒ／ｍに設定し、回転を始めてから６０秒後の粘度を本発明の粘度とする。
【００４９】
その他の成分としては、粘度特性に影響のない限り、通常液体洗浄剤に配合されている成分を配合することができる。例えば、香料成分、除菌成分、防腐剤、濁り剤、着色剤が挙げられる。
【００５０】
本発明の液体洗浄剤組成物は、硬質表面用の液体洗浄剤組成物として好適であり、特に食器、調理器具の洗浄、台所周りの洗浄などの、食器用洗浄剤組成物として好適である。
【００５１】
本発明の液体洗浄剤組成物は、該組成物を水と伴にスポンジなどの可撓性材料に染み込ませ、直接食器や調理用器具に接触させて洗浄を行う方法において、すすぎ時のすばやい泡切れ性と優れた洗浄効果との両者を満足することができる。
【実施例】
【００５２】
表１、２に示す成分を用いて液体洗浄剤組成物を調製した。これら組成物の乳化力、洗浄力の持続力、すすぎ性を下記の方法で評価した。結果を表１、２に示す。なお、表１の実施例の組成物は、何れも２０℃における粘度が１０〜１０００ｍＰａ・ｓの範囲にあった。
【００５３】
＜乳化力試験＞
牛脂／ナタネ油を９／１の質量比で混合し、さらに０．１質量％の色素（スダンレッド）を均一に混ぜ込んだモデル汚れ５ｇを陶器皿に均一に塗り広げ、３日間以上自然乾燥させたものをモデル汚染食器とした。
【００５４】
市販の新品スポンジを水道水（約２５℃）でもみ洗いし、水道水の含有量が１５ｇになるまで絞った後、表の組成物１ｇと水道水（約２５℃）２０ｇを染み込ませる。モデル汚染食器上で上記スポンジを２〜３回手でもみ泡立てた後、モデル汚染食器１枚を９０秒間擦り洗った後、乳化しきれなかった油（スカム）を篩（ＳＵＳ−３１６、線径０．０５、メッシュ２００、寸法１１０φ）で濾過し、皿に付着したスカムも洗ビンにて篩に洗い出す。泡及び界面活性剤を取り除くため、エアーで篩から押し出し、少量のエタノールで洗浄する。次に、スポンジ及び篩を１０５℃、２時間にて乾燥残分を測定し、乳化率を算出する。
【００５５】
【数１】
2007153956.tif 000005
【００５６】
＜持続力評価＞
牛脂／ナタネ油を１／１の質量比で混合し、さらに０．１質量％の色素（スダンレッド）を均一に混ぜ込んだモデル汚れ１ｇを陶器皿に均一に塗り広げたものをモデル汚染食器とした。
【００５７】
市販の新品スポンジを水道水（約２５℃）でもみ洗いし、水道水の含有量が１５ｇになるまで絞った後、表の組成物１ｇと水道水（約２５℃）２０ｇを染み込ませる。モデル汚染食器上で上記スポンジを２〜３回手でもみ泡立てた後、モデル汚染食器を擦り洗いし、洗浄（食器に付着した色が消えることにより確認）できた皿の枚数を求めた。
【００５８】
＜すすぎ性評価−１＞
５００ｍｌ分液ロートに表の組成物（濃度１．０％水溶液、２５℃）１００ｍｌを入れ、手で３０回上下に振盪させて泡立てる。３０秒間放置しその後分液ロートのコックを開いて液を流し出し、泡をも流す。泡の滴下が１秒間程度になったらコックを閉じ、約２５℃の水道水４０ｍｌを流し込み、分液ロートを１０回ゆっくり泡立てずまわした後コックを開く。再び前記のすすぎ行程を行い、分液ロート内の泡が消滅するまでのすすぎ回数を求める。
【００５９】
＜すすぎ性評価−２＞
市販の新品スポンジを水道水（約２５℃）でもみ洗いし、水道水の含有量が１５ｇになるまで絞った後、表の組成物１ｇと水道水（約２５℃）２０ｇを染み込ませる。汚れのない皿１枚によく泡立てながら擦り洗った後、水道水（約２５℃）を流したままスポンジをもみすすぎ、スポンジの泡がなくなる回数を求める。
【００６０】
【表１】
2007153956.tif 000006
【００６１】
【表２】
2007153956.tif 000007
【００６２】
表中の成分は以下のものを表す。
・脂肪酸塩：ラウリン酸をＫＯＨで中和したもの
・ＧＥ：２−エチルヘキシルモノグリセリルエーテル（モノグリセリルエーテル）
・ＥＳ：ポリオキシエチレンアルキルエーテル硫酸エステルナトリウム〔原料アルコールは、１−デセン及び１−ドデセン４０／６０（質量比）を原料にヒドロホルミル化して得られたアルコールである。このアルコールにＥＯを平均２モル付加させた後、三酸化イオウにより硫酸化し、水酸化ナトリウムで中和した。全ポリオキシエチレンアルキルエーテル硫酸エステルナトリウム中の全ポリオキシエチレン分岐鎖アルキルエーテル硫酸エステルナトリウムの割合は２０質量％であった。〕
・ＡＯ：Ｎ−ラウリル−Ｎ，Ｎ−ジメチルアミンオキシド
・ベタイン：Ｎ−ラウリル−Ｎ，Ｎ−ジメチル−Ｎ−（２−ヒドロキシ−１−スルホプロピル）アンモニウムスルホベタイン
・ＡＧ：アルキル基の組成が炭素数１２／炭素数１４＝６０／４０（モル比）混合アルキルで、グルコシド平均縮合度１．５のアルキルグルコシド
・ｐ−ＴＳ：ｐ−トルエンスルホン酸ナトリウム
・ＰＧ：プロピレングリコール
・ｐＨ：４８％ＫＯＨ水溶液又は濃硫酸を用いて調整した。